(57)【要約】【課題】  コピーを行う際に、標準モードの初期設定が変更があったことを強調表示することにより、意図しない設定でコピーを行うことを防ぐことを目的とする。【解決手段】  コピー終了後に現在の設定が初期設定を異なるかどうかを判断し、異なっていた場合は自動的に強調表示する。これにより、次にコピーを行う際に設定が異なっていることを認識できる。【選択図】  図５
2007058545.tif 000002
【特許請求の範囲】
【請求項１】
コピー機能の予め決められた設定などを記録するための記録手段と、
コピー機能の設定などを行うための設定手段と、
設定した内容などを表示するための表示手段と、
コピー終了を検知する検知手段と、
所定の画像処理手段を実行するための制御手段を有する画像形成装置において、
前記検知手段によりコピー終了が検知された後に、予め決められた設定内容と前記設定手段により設定した内容を比較するための比較手段と、
前記比較手段により比較した設定内容が異なる場合、前記表示手段により現在の表示とは異なる表示を用いて、異なることを表現するための表現手段
を有することを特徴とした画像処理装置。
【請求項２】
請求項１の異なることを表現する表現手段とは、表示手段の一部もしくは、全てを点滅することを特徴とする請求項１記載の画像処理装置。
【請求項３】
請求項１の異なることを表現する表現手段とは、前記表示手段に表示されている色とは異なる色で表現することを特徴とする請求項１記載の画像処理装置。
【請求項４】
請求項１の異なることを表現する表現手段は、複数の表現手段の中から選択可能であることを特徴とする請求項１記載の画像処理装置。
【発明の詳細な説明】
【技術分野】
【０００１】
本発明は、画像処理装置（以下、複写機）において、コピー終了後に、予め決められた設定(以下、標準設定)と現在の設定を比較し、異なる場合は現在の表現と異なる表現を用いて、異なることをユーザに知らせる技術に関するものである。
【背景技術】
【０００２】
従来技術として、処理を実行するためにデータ入力が期待される入力対象部を、ユーザに一目で認識させるために、データを入力するための入力欄及び設定ボタンに対応付けた案内表示部を用い、データ未入力状態であれば、その項目に対応付けた案内表示部を高速点滅し、前回使用したデータが既に入力済み状態であれば、その項目の案内表示部を低速点滅し、データ更新が行われると案内表示部の点滅を停止することで、処理を実行する為にデータ入力が期待される入力対象部を、利用者に一目で認識させるといった技術（特開平9-258669）がある。
【特許文献１】特開平０９−２５８６６９号公報
【発明の開示】
【発明が解決しようとする課題】
【０００３】
コピーを行う場合に、前回、コピーしたユーザのコピー設定(両面設定、ソート、原稿混載、縮小レイアウトなど)が残っていることに気付かないと、設定を変更しないでコピーを行ってしまう可能性がある。
【０００４】
上述した従来の技術（特開平9-258669）では、データ入力が期待される入力対象部を、点滅させることによりユーザに強調表現する為、前回、コピーしていたユーザのコピー設定が残っていることをユーザに知らせることができないという課題がある。
【０００５】
そのため本発明は、前回、コピーしたユーザのコピー設定が残っていることをユーザに一目で認識させることを目的とする。
【課題を解決するための手段】
【０００６】
上述した課題を解決する為に、本発明に係る画像形成装置は以下のような構成を備える。即ち、コピー機能の予め決められた設定などを記録するための記録手段と、コピー機能の設定などを行うための設定手段と、設定した内容などを表示するための表示手段と、コピー終了を検知する検知手段と、所定の画像処理手段を実行するための制御手段を有する画像形成装置において、前記検知手段によりコピー終了が検知された後に、予め決められた設定内容と前記設定手段により設定した内容を比較するための比較手段と、前記比較手段により比較した設定内容が異なる場合、前記表示手段により現在の表示とは異なる表示を用いて、異なることを表現するための表現手段とを備える。
【発明の効果】
【０００７】
本発明によれば、前回、複写機を使用したユーザが設定を行ってコピーした後、次にコピーを行う際にコピー設定が標準設定と異なることが一目で認識可能である。これにより、標準設定でコピーを行いたい場合に、標準設定と異なるコピー設定でのコピーを回避することが可能となり、ユーザの利便性を向上することができる。
【発明を実施するための最良の形態】
【０００８】
（実施例１）
＜以下、画像形成装置の基本説明＞
図１は、画像形成装置（以下、複写機）の主要部の構成を示すブロック図である。
【０００９】
複写機はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮや公衆回線（ＷＡＮ）に接続することによって、画像情報やデバイス情報の入出力を行うための制御を行う。
【００１０】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００１１】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００１２】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００１３】
次に、ネットワークＩ／Ｆ２０１０は、ＬＡＮに接続され、ＬＡＮを介してＬＡＮ上の各装置との間で情報の入出力を行う。モデム２０５０は、公衆回線に接続され、公衆回線を介して情報の入出力を行う。
【００１４】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００１５】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００１６】
次に、スキャナ２０７０およびプリンタ２０９５のハードウェア構成について図２を参照して説明する。
【００１７】
図２は、図１に示すスキャナ２０７０およびプリンタ２０９５のハードウェア構成を示す側断面図である。
【００１８】
スキャナ２０７０とプリンタ２０９５とは、図２に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００１９】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２０】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００２１】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２２】
図３は、図１に示す操作部２０１２の構成を示す平面図である。
【００２３】
ＬＣＤ表示部２０１３は、ＬＣＤ上にタッチパネルシートが貼られた構造となっており、複写機の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、ＬＥＤ２０１８が設けられ、この点灯によってスタートキー２０１４が使える状態にあるか否かを示す。ストップキー２０１５は、稼働中の動作を止めるときに操作される。ＩＤキー２０１６は、使用者のユーザＩＤを入力する時に用いられる。リセットキー２０１７は、操作部２０１２からの設定を初期化する時に用いられる。
【００２４】
図４は、操作部２０１２上のＬＣＤ表示部２０１３に表示される操作画面の一例を示す図である。
【００２５】
操作部２０１２の操作画面の上部には、タッチキーからなり、各種の機能を選択するためのコピータブ９０１、送信／ＦＡＸタブ９０２、ボックスタブ９０３、ブラウザタブ９０４、右矢印タブ９０５が表示される。
【００２６】
図４は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソータ、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００２７】
また、表示領域９０７は、複写機のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複写機のデバイス情報を表示する画面や、プリントジョブ状況を表示する画面（図示せず）を表示し、この画面ではジョブの中止を行うことが可能になる。
【００２８】
送信／ＦＡＸタブ９０２を押下すると、複写機で読み取った画像をＬＡＮ上の機器にＥ−メール送信またはＦＴＰ送信したり、また公衆回線を使ってファクシミリ送信したりするための設定画面（図示せず）を表示する。
【００２９】
ボックスタブ９０３を押下すると、複写機上で読み取った画像をＨＤＤ２００４内のボックス領域に保存したり、ボックス領域に保存されている画像データを指定して印刷したり、ＬＡＮ上の機器に送信したりするための設定画面（図示せず）を表示する。
【００３０】
また、５つ以上の機能がコントローラユニット２０００に装備されている場合は、コピー、送信／ＦＡＸ、ボックス、ブラウザの４つ機能タブ９０１〜９０４の右横に右矢印キー９０５が表示され、右矢印キー９０５が押下されると、別の機能のための画面が表示されるようになっている。
【００３１】
＜以上、画像形成装置の基本説明＞
以下では、ユーザがそれぞれの設定内容に関して、予め決められた設定値（以下、標準設定）を変更してからコピーを行った場合、次にコピーする際にコピー設定が標準設定と異なることを一目で認識させる方法を説明する。
【００３２】
図５はコピー終了後に、コピー設定が標準設定と異なる場合、現在の表現と異なる表現を異なる色で強調表現するフローを表している。
【００３３】
図６はコピー標準モード画面である。この画面から図８、図９のような画面によりコピー設定(実際に設定した内容は、濃度は自動、倍率は自動％、フィニッシングはステイプルソート、ページレイアウトは２in１、移動はセンター)を行う（S6001）。具体的なステイプルソートの設定方法としては、図１１のように、ユーザがソータ画面で、ステイプルソートボタン(アイコン)２１０１を押下して選択する（選択した設定ボタンは色が変化することとする）。そして、ＯＫボタン２１０２を押下することで、ステイプルソートが設定される（以下では、ＯＫボタン押下の記述は省略し、単にステイプルソートを設定するという）。なお、この設定はHDD２００４に保存させる（以下も同様に設定内容はHDD２００４に保存される）。
【００３４】
上記の設定を行うと図７に「コピーできます。（設定あり）」の表示７００１と設定確認ボタン７００２が表示される（S6002）。この状態において、スタートキー２０１４を押下することでコピーが実行されると共に、図1２のような実行画面が表示される（S6003）。
【００３５】
そして、コピーの実行完了がＣＰＵ２００１で検知されるとHDD２００４から標準設定データを呼び出し、このデータと現在のコピー設定データをＣＰＵ２００１で比較し、標準設定と現在のコピー設定が異なるかどうかの確認を行う（S6004）。ここでは、濃度、倍率、フィニッシング、ページレイアウト、移動センターが標準設定と異なる設定である為、図１３のように現在の色とは、異なる色で表示エリア１３０１に強調表現をする（S6005）。この異なる色は、ＣＰＵ２００１が現在の色を調べ、この色とは異なる色をHDD２００４から検索し画面に表示する（ここでは、赤色とする）。標準設定と同じ場合は、異なる色の表現を行わない。
【００３６】
このように、異なる色で強調表現することで、ユーザは次にコピーする際に、標準設定と異なることが認識しやすくなる。そのため、標準モードでコピーしたい場合、リセットキー２０１７を押下することにより、標準設定に戻してから（S6006）、コピーを行い（Ｓ6007）、異なる設定でのコピーを回避することが可能となる。
【００３７】
尚、現在の表現と異なる表現は、上記のように色だけではなく、ＬＣＤ表示部2013を全画面点滅及び一部画面点滅により表現することも可能である。点滅とは、ＣＰＵ２００１が現在の色を調べて、異なる色をHDD２００４から検索し、現在の色とこの異なる色を交互に表示することにより実現することもできる。
【００３８】
この点滅を行う場合について具体的に説明を行う。なお異なる場合に色ではなく、点滅を行うという処理はあらかじめＨＤＤ2004に記録されていて、これはＣＰＵ2001により実行されるが以下では省略する。
【００３９】
コピー終了後に標準設定と現在の設定を比較するまでの操作と処理は、上記同様である。
【００４０】
フロー図１４の制御により比較を行い（Ｓ6004）、現在の表現と異なる表現をＬＣＤ表示部2013の全画面を点滅することで表現する（S1505）。これにより、図１５のような点滅が行われる。
【００４１】
同様に、一部点滅の場合は、フロー図１６の制御より比較を行い（Ｓ6004）、現在の表現と異なる表現をＬＣＤ表示部2013の一部画面を点滅することで表現する（S1７05）。これにより、図１７（ａ）の反転エリア２２０１が図１７（ｂ）のように点滅する（図１７（ａ）と図１７（ｂ）が交互に表示される）。尚、ここでは、標準設定と異なることを表現する為に、反転エリア２２０１を点滅させることとする（設定したところのみを点滅させることも可能である）。
【００４２】
上記本実施例では、現在の表現と異なる表現を異なる色で表現を行うとしたが、色はユーザごとに変更することや任意に選択することも可能である。
また、上記異なる表現における点滅は、点滅速度や光度や点滅個所などをユーザごとに変更することや任意に選択することも可能である。
【００４３】
（実施例２）
上記、実施例１では、標準設定と現在の設定が異なる場合、予め決められた動作（色を変える、画面の一部もしくは全てを点滅させる）を行ったが、これらの動作を選択することが可能である。
【００４４】
このような選択方法を、フロー図１８を用いて説明する。
【００４５】
まずコピーを行うために、コピー設定の中（設定前もしくは設定直後でも可）で、現在の表現と異なる表現をするかどうかの選択を図１９のような画面から設定する（S1901）。
【００４６】
異なる表現をしない場合、「コピー終了後の強調表現の通常の表現をする」を設定し、これをHDD２００４に記録し（S1902）、コピー実行後にHDD２００４から設定した内容を呼び出し、この設定で表現を行う。
【００４７】
異なる表現をする場合、図19で「ＯＮ」を押下し、続いて「ＯＫ」を押下する（以下、「ＯＮ」を設定する）。さらに図１０のような画面からどの表現で強調表現をするかを選択する（S1903）。
【００４８】
色で強調表現する場合、「色」を設定し、これをHDD２００４に記録する（S1904）。
【００４９】
一方、全画面点滅で強調表現する場合、「全画面点滅」を設定し、これをHDD２００４に記録する（S1905）。
【００５０】
一方、一部画面点滅で強調表現する場合、「一部画面点滅」を設定し、これをHDD２００４に記録する（S1906）。
【００５１】
上記により、コピー終了後に現在の表現と異なる表現を選択できる。
【００５２】
尚、本実施例では、３つの異なる表現を選択可能としたが、複数の表現方法から選択することや、選択方法をユーザが任意に追加することも可能である。
【図面の簡単な説明】
【００５３】
【図１】複写機の主要部の構成を示すブロック図である。
【図２】図１に示すスキャナおよびプリンタのハードウェア構成を示す側断面図である。
【図３】図１に示す操作部の構成を示す平面図である。
【図４】操作部上に表示される操作画面の一例を示す図である。
【図５】コピー前のコピー設定していることをユーザに表現する表現と異なる表現を違う色で強調表現するフローチャートである。
【図６】コピー標準モードの標準画面を示す図である。
【図７】コピー設定後のコピー標準画面を示す図である。
【図８】縮小レイアウトを設定する画面を示す図である。
【図９】応用モードで縮小レイアウトが設定されていることを示す画面である。
【図１０】コピー終了後に現在の表現と異なる表現をする表現方法を選択する画面を示す図である。
【図１１】ステイプルソートを設定する画面を示す図である。
【図１２】コピーを実行していることを示す画面を示す図である。
【図１３】コピー終了後の現在の表現と異なる表現を色で強調表現した画面を示す図である。
【図１４】現在の表現と異なる表現を全画面点滅で強調表現するフローチャートである。
【図１５】現在の表現と異なる表現を全画面点滅で強調表現した画面を示す図である。
【図１６】現在の表現と異なる表現を一部画面点滅で強調表現するフローチャートである。
【図１７】現在の表現と異なる表現を一部画面点滅で強調表現する画面を示す図である。
【図１８】コピー終了後に現在の表現と異なる表現をする表現方法を選択するフローチャートである。
【図１９】コピー終了後に現在の表現と異なる表現をするか、しないかを選択する画面を示す図である。
【符号の説明】
【００５４】
２０００  コントローラユニット（オートクリア手段、判断手段、制御手段）
２０１２  操作部（操作画面、表示入力手段）
２０７０  スキャナ
２０９５  プリンタ
【図１】
2007058545.tif 000003
【図２】
2007058545.tif 000004
【図３】
2007058545.tif 000005
【図４】
2007058545.tif 000006
【図５】
2007058545.tif 000007
【図６】
2007058545.tif 000008
【図７】
2007058545.tif 000009
【図８】
2007058545.tif 000010
【図９】
2007058545.tif 000011
【図１０】
2007058545.tif 000012
【図１１】
2007058545.tif 000013
【図１２】
2007058545.tif 000014
【図１３】
2007058545.tif 000015
【図１４】
2007058545.tif 000016
【図１５】
2007058545.tif 000017
【図１６】
2007058545.tif 000018
【図１７】
2007058545.tif 000019
【図１８】
2007058545.tif 000020
【図１９】
2007058545.tif 000021